(57)【要約】【課題】本発明は音響機器に使用されるスピーカ用振動板、スピーカ、電子機器および装置に関するものであり、耐水性を有したスピーカ用振動板を低コストで実現することを目的とする。【解決手段】本発明は、紙振動板の抄紙時にフッ素樹脂からなる撥水剤を含浸させ、加熱加圧して水分を蒸発させることにより、フッ素樹脂からなる撥水剤をスピーカ用振動板２７の内部にまで瞬時に含浸させる構成とすることにより、スピーカ用振動板２７の耐水性を向上させるとともに撥水処理時間の短縮による低コスト化を図ることができる構成としたものである。【選択図】図１
2007281638.tif 000002
【特許請求の範囲】
【請求項１】
パルプ材料を主体としたスピーカ用振動板であって、前記スピーカ用振動板は抄紙により形成されるとともに、フッ素樹脂を内部に取り込んでなるスピーカ用振動板。
【請求項２】
フッ素樹脂に架橋促進剤を添加した請求項１に記載のスピーカ用振動板。
【請求項３】
磁気回路に結合されたフレームと、このフレームの外周部に結合された請求項１または請求項２に記載のスピーカ用振動板と、このスピーカ用振動板に結合されるとともに、その一部が前記磁気回路の磁気ギャップに配置されたボイスコイルとからなるスピーカ。
【請求項４】
磁気回路に結合されたフレームと、このフレームの外周部に結合された請求項１または請求項２に記載のスピーカ用振動板と、このスピーカ用振動板に結合されるとともに、その一部が前記磁気回路の磁気ギャップに配置されたボイスコイルとからなるスピーカと、少なくともこのスピーカへの入力信号の増幅回路とを備えた電子機器。
【請求項５】
磁気回路に結合されたフレームと、このフレームの外周部に結合された請求項１または請求項２に記載のスピーカ用振動板と、このスピーカ用振動板に結合されるとともに、その一部が前記磁気回路の磁気ギャップに配置されたボイスコイルとからなるスピーカを移動手段に備えた装置。
【発明の詳細な説明】
【技術分野】
【０００１】
本発明は各種音響機器や映像機器に使用されるスピーカ用振動板やこれを用いたスピーカおよびステレオセットやテレビセット等の電子機器および自動車等の装置に関するものである。
【背景技術】
【０００２】
昨今のオーディオ業界や、オーディオ機器を搭載した自動車業界では、デジタル機器の普及により、スピーカから再生される音質は、飛躍的に向上した。
【０００３】
これらの業界での次期目標は、デジタル機器の普及により飛躍的に向上した音質を、いかにユーザ志向にマッチした音色に音づくりを実現できるかということである。
【０００４】
このため、スピーカの音色を決定するウエイトの非常に大きい構成部品である振動板は、その音色の設計の自由度の大きさから紙をベースとした振動板が見直されてきている。
【０００５】
これらの紙振動板は比重が小さく、適度な内部損失を有し、しかもさまざまな材料を混入して抄紙できることから、スピーカの音色を詳細に調整することが可能である。
【０００６】
また、これらの紙振動板は吸湿性を有することから、その振動板の表面に撥水剤を含浸する必要があった。
【０００７】
従来のスピーカ用紙振動板について、以下図面を用いて説明する。
【０００８】
図５は、従来のスピーカ用紙振動板の断面図を示したものである。従来のスピーカ用紙振動板７は、抄紙工法により生産され、抄紙して加熱加圧により水分を蒸発させて、その後乾燥させた後に撥水剤を含浸している。
【０００９】
よって、その断面は抄紙されたボディ部７Ａの表面に撥水剤の膜７Ｂができた状態になっている。
【００１０】
この撥水剤の膜７Ｂにより、ボディ部７Ａの内部に水分が浸入するのを防止している。
【００１１】
なお、この出願の発明に関する先行技術文献情報としては、例えば、特許文献１が知られている。
【特許文献１】特開２００２−１９９４８８号公報
【発明の開示】
【発明が解決しようとする課題】
【００１２】
紙振動板は、金属材料や樹脂材料から構成される振動板と比較すると、一般的にその材料上吸湿性を有し、この吸湿が多い場合には剛性が低くなるという傾向を有するものであった。
【００１３】
このため、振動板が吸湿しその剛性が低くなると、音質が変わってしまい、ユーザ志向にマッチした音づくりが実現できなくなる。
【００１４】
紙振動板は通常サイズ剤により最低限の防水効果すなわち空気中の湿気の吸収等をなくす効果を発揮させるようにしているが、自動車用スピーカ等のように水滴や水が直接振動板にかかるような使用環境では、サイズ剤だけでは不十分であった。
【００１５】
このため吸湿性を低減させるため、振動板に撥水剤を含浸する必要があるが、この撥水剤の含浸、さらにはこれらの乾燥に多大な時間と労力がかかり、振動板のコストを高価なものにしてしまうという課題を有するものであった。
【００１６】
本発明は前記課題を解決し、振動板への撥水性をコストアップを抑えながら実現させることができるスピーカ用振動板を提供することを目的とするものである。
【課題を解決するための手段】
【００１７】
上記目的を達成するために本発明は、紙振動板の抄紙時にフッ素樹脂からなる撥水剤を含浸させ、加熱加圧して水分を蒸発させることにより、フッ素樹脂からなる撥水剤を振動板の内部にまで取り込んだスピーカ用振動板を得る構成としたものである。
【００１８】
この構成とすることにより、フッ素樹脂からなる撥水剤を瞬時にして紙振動板の内部にまで含浸させることができ、振動板の撥水処理時間の短縮による低コスト化を実現することができる。
【発明の効果】
【００１９】
以上のように本発明は、フッ素樹脂からなる撥水剤を瞬時にして紙振動板の内部にまで含浸させることができるため、振動板の撥水処理時間の短縮により、振動板のコストアップを抑え、この振動板を用いたスピーカの低コスト化を実現することができる。
【００２０】
また、紙振動板の内部にまでフッ素樹脂からなる撥水剤を含浸させているため、撥水性能を向上させることができる。
【００２１】
さらに、撥水剤が表面にのみ残っている従来の撥水剤とは異なり、紙振動板の内部にまで均一に浸透しているため、この振動板に接着結合が必要な他の部材、例えば、エッジやボイスコイルやダストキャップ等の接着に対して撥水剤の膜が障害となり接着力を低下させることがなくなる。
【発明を実施するための最良の形態】
【００２２】
以下、本発明の実施の形態について図面を用いて説明する。
【００２３】
（実施の形態１）
以下、実施の形態１を用いて、本発明の特に請求項１および請求項２に記載の発明について説明する。
【００２４】
図１は、本発明の一実施の形態におけるスピーカ用振動板の断面図を示したものである。
【００２５】
図１に示すように、本発明のスピーカ用振動板２７は、抄紙工法により生産され、抄紙時にフッ素樹脂からなる撥水剤を含浸して、その後加熱加圧して水分を蒸発させて作製する。
【００２６】
よって、その断面には、抄紙されたスピーカ用振動板２７の表面に撥水剤の膜が残ることなく、スピーカ用振動板２７の内部にまでフッ素樹脂からなる撥水剤が均一に浸透した状態になっている。
【００２７】
このように、抄紙時にフッ素樹脂からなる撥水剤を含浸して、その後加熱加圧して水分を蒸発させているため、フッ素樹脂からなる撥水剤が振動板の内部にまで取り込まれ均一に浸透した状態になっており、フッ素樹脂からなる撥水剤のスピーカ用振動板２７への含浸が瞬時にできるため、スピーカ用振動板２７の撥水処理時間の短縮によりコストアップを抑え、このスピーカ用振動板２７を用いたスピーカの低コスト化を実現することができる。
【００２８】
また、スピーカ用振動板２７の内部にまでフッ素樹脂からなる撥水剤を含浸させているため、撥水性能を更に向上させることができる。
【００２９】
さらに、撥水剤が表面にのみ残っている従来の撥水剤とは異なり、スピーカ用振動板２７の内部にまで均一に浸透しているため、このスピーカ用振動板２７に接着結合が必要な他の部材、例えば、エッジやボイスコイルやダストキャップ等の接着に対して撥水剤の膜が障害となり接着力を低下させることがなくなる。
【００３０】
なお、フッ素樹脂に架橋促進剤を添加してもよい。
【００３１】
このように、架橋促進剤を添加することで、スピーカ用振動板２７の材料と撥水剤であるフッ素樹脂との結合をより強化し、撥水効果と防水効果をさらに高めることができる。
【００３２】
これにより撥水性が向上し、品質面や信頼性面においても優れたスピーカ用振動板２７とすることができる。
【００３３】
（実施の形態２）
以下、実施の形態２を用いて、本発明の特に請求項３に記載の発明について説明する。
【００３４】
図２は、本発明の一実施の形態におけるスピーカの断面図を示したものである。
【００３５】
図２に示すように、着磁されたマグネット２１を上部プレート２２およびヨーク２３により挟み込んで内磁型の磁気回路２４を構成している。
【００３６】
この磁気回路２４のヨーク２３にフレーム２６を結合している。このフレーム２６の周縁部に、請求項１または請求項２に記載のスピーカ用振動板２７の外周をエッジ２９を介して接着している。そして、このスピーカ用振動板２７の中心部にボイスコイル２８の一端を結合するとともに、反対の一端を上記磁気回路２４の磁気ギャップ２５にはまり込むように結合して構成している。
【００３７】
以上は、内磁型の磁気回路２４を有するスピーカについて説明したが、これに限定されず、外磁型の磁気回路を有するスピーカに適用しても良い。
【００３８】
さらに、スピーカ用振動板２７とエッジ２９とが一体化された小型スピーカについても適用することも可能である。
【００３９】
この構成により、実施の形態１において説明したように、十分な撥水性を有するスピーカ用振動板となり、品質面や信頼性面において優れたスピーカを低コストで構成することができる。
【００４０】
（実施の形態３）
以下、実施の形態３を用いて、本発明の特に請求項４に記載の発明について説明する。
【００４１】
図３は、本発明の一実施の形態における電子機器であるオーディオ用のミニコンポシステムの外観図を示したものである。
【００４２】
図３に示すように、本発明のスピーカ３０をエンクロジャー４１に組込んでスピーカシステムを構成し、このスピーカに入力する電気信号の増幅手段であるアンプ４２と、このアンプ４２に入力されるソースを出力するプレーヤ４３とを備えて、電子機器であるオーディオ用のミニコンポシステム４４を構成したものである。
【００４３】
この構成とすることにより、ユーザ志向にマッチした音色に音づくりを実現でき、しかも耐湿性や耐水性に優れたミニコンポシステムを低価格で実現することができる。
【００４４】
（実施の形態４）
以下、実施の形態４を用いて、本発明の特に請求項５に記載の発明について説明する。
【００４５】
図４は、本発明の一実施の形態における装置である自動車５０の断面図を示したものである。
【００４６】
図４に示すように、本発明のスピーカ３０をリアトレイやフロントパネルに組込んで、カーナビゲーションやカーオーディオの一部として使用して自動車５０を構成したものである。
【００４７】
この構成とすることにより、スピーカ３０をユーザ志向にマッチした音色に音づくりを実現でき、しかも耐湿性や耐水性に優れたカーオーディオシステムを低価格で実現することができる。
【００４８】
よって、自動車等の装置の低価格化を図ることができるとともに、品質面や信頼性面においても優れたものとすることができ、このスピーカ３０を搭載した自動車等の装置の性能や品質を向上させることができる。
【産業上の利用可能性】
【００４９】
本発明にかかるスピーカ用振動板、スピーカ、電子機器および装置は、撥水性や耐水性が必要な映像音響機器や情報通信機器等の電子機器、さらには自動車等の装置に適用できる。
【図面の簡単な説明】
【００５０】
【図１】本発明の一実施の形態におけるスピーカ用振動板の断面図
【図２】本発明の一実施の形態におけるスピーカの断面図
【図３】本発明の一実施の形態における電子機器の外観図
【図４】本発明の一実施の形態における装置の断面図
【図５】従来のスピーカ用振動板の断面図
【符号の説明】
【００５１】
２１  マグネット
２２  上部プレート
２３  ヨーク
２４  磁気回路
２５  磁気ギャップ
２６  フレーム
２７  スピーカ用振動板
２８  ボイスコイル
２９  エッジ
３０  スピーカ
４１  エンクロジャー
４２  アンプ
４３  プレーヤ
４４  ミニコンポシステム
５０  自動車
【図１】
2007281638.tif 000003
【図２】
2007281638.tif 000004
【図３】
2007281638.tif 000005
【図４】
2007281638.tif 000006
【図５】
2007281638.tif 000007